(57)【要約】【課題】  防音室の遮音性を高めることができるとともに、防音室内を効率良く換気できることで、防音室内の温度上昇を抑制することができる防音室の換気システムを提供する。【解決手段】防音室を換気するための防音室の換気システムであって、互いに間隔を隔てて配置され、内側に空気通路２６を画成する外壁部８および内壁部２４を有し、内壁部２４の下部に、防音室の床面に沿って開口するとともに空気通路２６に連通する給気口２２ａが設けられた側壁部８、２４と、側壁部８、２４の上方に配置され、排気口２５ａを有する天壁部２５と、外気ＧＡを、空気通路２６に取り込み、給気口２２ａを介して防音室に供給するとともに、防音室内の空気ＨＡを排気口２５ａを介して外部に排出する換気ファン３１と、を備えている。【選択図】  図１
2006153412.tif 000002
【特許請求の範囲】
【請求項１】
防音室を換気するための防音室の換気システムであって、
互いに間隔を隔てて配置され、内側に空気通路を画成する外壁部および内壁部を有し、当該内壁部の下部に、前記防音室の床面に沿って開口するとともに前記空気通路に連通する給気口が設けられた側壁部と、
前記側壁部の上方に配置され、排気口を有する天壁部と、
外気を、前記空気通路に取り込み、前記給気口を介して前記防音室に供給するとともに、当該防音室内の空気を前記排気口を介して外部に排出する換気装置と、
を備えていることを特徴とする防音室の換気システム。
【発明の詳細な説明】
【技術分野】
【０００１】
本発明は、防音室を換気するための防音室の換気システムに関する。
【背景技術】
【０００２】
一般に、換気機能を有する防音室では、防音型の空調換気扇を、防音室の側壁や天井壁に設けることにより、防音室の換気を行っている。しかし、上記のような空調換気扇では、外気を防音室内に供給する給気口および防音室内の空気を外部に排出する排気口が同一面に存在するため、防音室内の空気を、室内全体で効率良く入れ換えることができない。その結果、防音室内に存在する熱源、例えば人間あるいはペット（犬や猫など）の体温、さらには防音室内に設置された機器の発熱などによって、防音室内の温度が上昇してしまう。
【０００３】
上記のような給気口および排気口が互いに異なる位置に配置された防音室として、特許文献１に記載のものが知られている。この防音室は、ペット小屋に適用されたものであり、天井壁および側壁の一方に給気口が設けられるとともに、他方に排気口が設けられている。具体的には、第１例としてのペット小屋では、ペット小屋の天井壁の後部および背壁の下部にそれぞれ、給気口および排気口を設けるとともに、天井壁上にファンを設置し、このファンにより、給気口を介して、ペット小屋の室内に外気を送り込み、室内の空気を、排気口を介して外部に排出する。第２例としてのペット小屋では、右側壁の下部および天井壁の左端部にそれぞれ、給気口および排気口を設けるとともに、排気口にファンを設置し、このファンにより、給気口を介して、ペット小屋の室内に外気を吸い込み、室内の空気を、排気口を介して外部に排出する。
【０００４】
しかし、上記の第１例では、給気口および排気口がそれぞれ、天井壁の後部および背壁の下部に設けられ、両者が比較的近い位置に配置されているため、換気の際に室内で生じる気流が背壁側に偏り、室内を効率良く換気することができない。加えて、室内に生じる気流は、上から下に向かうため、室内に居る者にとっては、その気流が不快に感じやすい。一方、第２例では、給気口および排気口が比較的離れた位置に配置されているものの、給気口が小さいため、この例でもやはり、室内を効率良く換気することができない。加えて、給気口および排気口が外部に露出しているため、室内外の音が、給気口および排気口を介して漏れやすく、遮音性が不十分である。
【０００５】
本発明は、以上のような課題を解決するためになされたものであり、防音室の遮音性を高めることができるとともに、防音室内を効率良く換気できることで、防音室内の温度上昇を抑制することができる防音室の換気システムを提供することを目的とする。
【０００６】
【特許文献１】特開２００３−３１９７２７号公報
【発明の開示】
【課題を解決するための手段】
【０００７】
上記の目的を達成するために、請求項１に係る発明は、防音室を換気するための防音室の換気システムであって、互いに間隔を隔てて配置され、内側に空気通路を画成する外壁部および内壁部を有し、内壁部の下部に、防音室の床面に沿って開口するとともに空気通路に連通する給気口が設けられた側壁部と、側壁部の上方に配置され、排気口を有する天壁部と、外気を、空気通路に取り込み、給気口を介して防音室に供給するとともに、防音室内の空気を排気口を介して外部に排出する換気装置と、を備えていることを特徴とする。
【０００８】
この構成によれば、換気装置により、側壁部内の空気通路に外気を取り込み、その外気を、内壁部の下部に床面に沿って設けられた給気口を介して防音室内に供給するとともに、防音室内の空気を、天壁部の排気口を介して外部に排出する。このように、防音室内に、内壁部の下部から床面に沿うように外気を供給し、防音室内の空気を、上部の排気口を介して排出するので、防音室内に床面全体から上に向かう気流が生じ、これにより、防音室を効率良く換気することができる。その結果、防音室内の空気の滞留時間が短くなり、防音室内に熱源が存在する場合でも、防音室内の温度上昇を抑制することができる。また、側壁部は、内側に空気通路を画成する外壁部および内壁部を有する二重構造に構成されているので、防音室の遮音性を高めることができる。
【発明を実施するための最良の形態】
【０００９】
以下、図面を参照しながら、本発明の好ましい実施形態を詳細に説明する。図１は、本発明の一実施形態による防音室の換気システムを適用したペット小屋を示している。同図に示すように、このペット小屋１は、外箱２と、この外箱２に収容された内箱３とを備えた二重構造に構成されている。
【００１０】
外箱２は、平面形状が矩形の底壁４と、この底壁４の周縁部に四方を囲むように立設された前壁５、左右壁６、６および背壁７からなる側壁部８（外壁部）と、この側壁部８上に設けられた屋根部９とで構成されている。側壁部８の各壁５、６、６、７はいずれも、所定の厚さ（例えば１２ｍｍ）を有するパーティクルボードで構成されている。前壁５および背壁７の上部はいずれも、屋根部９の後述する傾斜部９ａ、９ａに沿って三角形に形成され、これらの部分にはそれぞれ、上下方向に延びかつ左右方向に並んだ多数のスリット１２ａからなる前スリット部１２Ａおよび後スリット部１２Ｂが設けられている。また、前壁５には、正面形状が矩形の比較的大きな開口５ａが形成されるとともに、この開口５ａを開閉するための防音ドア１１が取り付けられている。なお、この防音ドア１１の前面には、外部から内箱３内を視認するための透明パネル１１ａが設けられている。さらに、屋根部９は、左方および右方に向かってそれぞれ前下がりの左右２つの傾斜部９ａ、９ａと、これらの内側において、上記前後スリット部１２Ａ、１２Ｂよりも上方にほぼ水平に設けられた天壁部９ｂとで構成されている。
【００１１】
一方、内箱３は、所定のサイズ（例えば、内法が奥行き：４７０ｍｍ、横幅：６３１ｍｍ、高さ：５００ｍｍ）を有する直方体状に形成され、外箱２内に、その底壁４に載置した状態で収容されている。この内箱３は、外箱２の前壁５、左右壁６、６および背壁７にそれぞれ対向する前壁２１、左右壁２２、２２および背壁２３からなる側壁部２４（内壁部）と、この側壁部２４の上面を閉鎖するように設けられた天壁２５（天壁部）とで構成されている。これらの側壁部２４の各壁２１、２２、２３および天壁２５はいずれも、所定の厚さ（例えば９ｍｍ）を有するパーティクルボードで構成されている。また、それらの内面には、酸化チタンがコーティングされており、それにより、太陽光や蛍光灯などの紫外線を含む光が当たることによって、光触媒作用により、壁面に付着した臭いや雑菌が分解される。さらに、内箱３の前壁２１および背壁２３はそれぞれ、外箱２の前壁５および背壁７に密着する一方、内箱３の左右壁２２、２２と、これらにそれぞれ対向する外箱２の左右壁６、６との間には、所定の寸法（例えば３５ｍｍ）を有する空気通路２６、２６が画成されている。なお、各空気通路２６を画成する内箱３の左右壁２２、２２および外箱２の左右壁６、６の互いに対向する面の少なくとも一方には、図示しない吸音材が貼り付けられている。
【００１２】
内箱３の前壁２１には、外箱２の前壁５の開口５ａと同様のサイズおよび形状の開口２１ａが形成されている。また、左右壁２２、２２の各々の下端部には、底壁４の上面（以下「床面」という）に沿って、前後方向に延びるように開口し、所定の寸法（例えば、長さ：４００ｍｍ、高さ：１８．７５ｍｍ）を有する給気口２２ａが設けられている。さらに、天壁２５の中央部には、円形に開口し、所定の寸法（例えば直径１００ｍｍ）を有する排気口２５ａが設けられている。
【００１３】
また、内箱３の天壁２５と外箱２の天壁部９ｂとの間には、換気ファン３１（換気装置）が設けられるとともに、この換気ファン３１および上記排気口２５ａの周囲を囲う消音ダクト３２が設けられている。換気ファン３１は、外気を内箱３内に供給するとともに、内箱３内の空気を外部に排出するものであり、空気を下方から吸い込み、後方へ排出するように構成されている。したがって、この換気ファン３１は、屋根部９の天壁部９ｂの下面に取り付けられ、排気口２５ａよりも後方にかつ内箱３の天壁２５から浮いた状態に配置されている。
【００１４】
一方、消音ダクト３２は、換気ファン３１の作動音による騒音を低減させるものである。この消音ダクト３２は、上下方向に延び、内箱３の天壁２５および屋根部９の天壁部９ｂに気密に接続されており、左右方向に延びるとともに外箱２の前壁５の後方に配置された前壁３２ａと、この前壁３２ａの左右端部からそれぞれ、外箱２の背壁７まで後方に延びる左右壁３２ｂ、３２ｂとで構成されている。
【００１５】
図２は、上記のように構成されたペット小屋１において、換気ファン３１により、換気を行った際の空気の流れを示している。換気ファン３１が作動したときには、同図に示すように、外箱２の前スリット部１２Ａを介して、外気ＧＡが屋根部９内に吸い込まれる。この外気ＧＡは、消音ダクト３２の前壁３２ａに当たって左右に別れ、左右の空気通路２６、２６を通り、下方に流れる。そして、その外気ＧＡは、内箱３の左右壁２２、２２の給気口２２ａ、２２ａを介して、内箱３内に、床面に沿って左右からそれぞれ流れ込む。また、内箱３内の空気ＨＡは、天壁２５の排気口２５ａを介して、上方の消音ダクト３２内に吸い込まれる。そして、その空気ＨＡは、換気ファン３１に下方から吸い込まれ、換気ファン３１の後部から、外箱２の後スリット部１２Ｂを介して、外部に排出される。
【００１６】
図３は、上記のペット小屋１における換気性能を確認するために実施した試験結果の一例を示している。この試験では、熱源としての１００Ｗの電球を、輻射熱の影響を排除するためのガラスケースに収容した状態で、内箱３内に配置し、電球への通電開始から３０分経過後に、換気ファン３１を作動させた。そして、前スリット部１２から前方に約３０ｃｍ離れた位置で、外気温度である室外温Ｔ１を検出するとともに、内箱３内の温度である室内温Ｔ２を検出した。同図に示すように、室外温Ｔ１は、２２℃前後でほぼ一定であり、一方、室内温Ｔ２は、電球の通電に伴って大きく上昇し、通電開始から３０分経過後に、換気ファン３１を作動させたことにより、作動直後に大きく低下した後、室外温Ｔ１との差が約２℃に抑制できることが確認された。
【００１７】
図４は、上記のペット小屋１における遮音性能を確認するために実施した試験結果の一例を示している。この試験では、音源スピーカを内箱３内に配置し、その音源スピーカから音を発生させた。そして、そのときの音圧レベルを、内箱３内および外箱２の外部でそれぞれ測定し、両音圧レベルの差（以下「音圧レベル差」という）ΔＤを求めた。なお、同図の右側の縦軸は、遮音等級を示しており、求めた音圧レベル差ΔＤの値が、オクターブバンド中心周波数ｆのすべての周波数帯域において基準曲線を上回るときに、その基準曲線の呼び方によって、遮音等級が表される。
【００１８】
同図に示すように、外箱２の前方側、左右の側方側および上方側ではいずれも、比較的高い音圧レベル差ΔＤが得られ、それらの遮音等級はいずれもＤｒ−３０である。特に、いずれの音圧レベル差ΔＤも、５００Ｈｚ以下の低周波数域において特に高いという試験結果が得られた。
【００１９】
以上詳述したように、本実施形態によれば、外気ＧＡを、左右の空気通路２６、２６に取り込み、内箱３の左右の給気口２２ａ、２２ａを介して、内箱３内の床面に沿うように、左右から供給するとともに、内箱３内の空気ＨＡを、天壁２５の排気口２５ａを介して外部に排出するので、内箱３内に床面全体から上方に向かう気流が生じ、これにより、ペット小屋１内を効率良く換気することができる。その結果、ペット小屋１内の空気ＨＡの滞留時間が短くなり、ペット小屋１内にペットが居る場合でも、その内部の温度上昇を抑制することができる。また、このペット小屋１は、外箱２および内箱３による二重構造に構成されているので、遮音性を高めることができる。以上により、ペット小屋１に収容されているペットは、換気の際に自身の鼻面に気流を感じることができるとともに、外部の音があまり聞こえないので、特に、耳が敏感で熱さに弱いペットにとっては、非常に快適な空間を得ることができる。加えて、ペットの鳴き声や排気ファン３１の騒音も、ペット小屋１の外部にはあまり伝わらないので、ペットの飼い主などにとっても、良好な環境を得ることができる。
【００２０】
なお、本発明は、説明した上記実施形態に限定されることなく、種々の態様で実施することができる。実施形態では、本発明をペット小屋１に適用した場合についてのみ説明したが、本発明はこれに限定されるものではなく、例えば、音楽室やレコーディング室などの防音室に適用することも可能である。また、実施形態で示した外箱２および内箱３の細部の構成などは、あくまで例示であり、本発明の趣旨の範囲内で適宜、変更することができる。
【図面の簡単な説明】
【００２１】
【図１】本発明の防音室の換気システムを適用したペット小屋を示す斜視図である。
【図２】図１のペット小屋において、換気中の空気の流れを示す図である。
【図３】図１のペット小屋における換気性能を確認するために実施した試験結果の一例であり、室外温と室内温の推移を示すグラフである。
【図４】図１のペット小屋における遮音性能を確認するために実施した試験結果の一例であり、外箱の前方側、左右の側方側および上方側の遮音等級を示している。
【符号の説明】
【００２２】
１    ペット小屋
２    外箱
３    内箱
４    底壁
６    左右壁
８    側壁部（外壁部）
９    屋根部
１２Ａ  前スリット部
１２Ｂ  後スリット部
１２ａ  スリット
２２    左右壁
２２ａ  給気口
２４    側壁部（内壁部）
２５    天壁（天壁部）
２５ａ  排気口
２６    空気通路
３１    換気ファン（換気装置）
ＧＡ    外気
ＨＡ    内箱内の空気
【図１】
2006153412.tif 000003
【図２】
2006153412.tif 000004
【図３】
2006153412.tif 000005
【図４】
2006153412.tif 000006